【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
それぞれ異なる色成分の画像を形成するための複数の画像形成ユニットを有し、前記複数の画像形成ユニットを用いてフルカラー画像を形成するフルカラーモードと、前記複数の画像形成ユニットのうちの所定の1つの画像形成ユニットを用いてモノクロ画像を形成するモノクロモードとで動作可能な画像形成手段と、
前記フルカラーモードと前記モノクロモードとを含むカラーモードのうち実行するカラーモードを示すカラーモード情報を入力するための操作部と、
画像形成の開始の指示を入力するための入力手段と、
画像形成の開始の指示の入力が予測されるユーザによる操作を検知すると、前記操作部より入力された前記カラーモード情報に応じた画像形成の準備動作のために前記画像形成手段の動作を制御する制御手段と、
を備え、
前記制御手段は、前記カラーモード情報が変更される度に前記変更された前記カラーモード情報に応じて準備動作を変更するとともに、前記準備動作の変更の回数が所定値を超えると、前記カラーモード情報に応じた前記準備動作の変更を行わないことを特徴とする画像形成装置。
【請求項２】
前記カラーモード情報は、前記開始の指示が入力されるまで変更可能であることを特徴とする請求項１に記載の画像形成装置。
【請求項３】
前記制御手段は、前記準備動作を開始してから第一の時間が経過するまでの間に、前記入力手段から前記開始の指示が入力されない場合には、前記準備動作を終了させることを特徴とする請求項１又は請求項２に記載の画像形成装置。
【請求項４】
前記準備動作の回数を記憶する記憶手段を備え、
前記制御手段は、前記準備動作を終了させてから第二の時間が経過するまでの間に、前記画像形成の開始の指示の入力が予測される操作を検知しない場合には、前記記憶手段に記憶された前記準備動作の回数をクリアすることを特徴とする請求項３に記載の画像形成装置。
【請求項５】
前記準備動作の回数を記憶する記憶手段を備え、
前記制御手段は、記録材に画像形成する画像形成動作を実行すると、前記記憶手段に記憶された前記準備動作の回数をクリアすることを特徴とする請求項１又は請求項２に記載の画像形成装置。
【請求項６】
前記準備動作の回数を記憶する記憶手段を備え、
前記制御手段は、前記画像形成装置の電源がオンされた場合には、前記記憶手段に記憶された前記準備動作の回数をクリアすることを特徴とする請求項１又は請求項２に記載の画像形成装置。
【請求項７】
前記準備動作の回数を記憶する記憶手段と、
前記画像形成手段への電力供給を停止する省電力モードへの移行が可能な電源制御部と、
を備え、
前記制御手段は、前記画像形成手段への電力供給を行うために前記電源制御部を前記省電力モードから復帰させた場合には、前記記憶手段に記憶された前記準備動作の回数をクリアすることを特徴とする請求項１又は請求項２に記載の画像形成装置。
【請求項８】
原稿を読み取る読取手段を備え、
前記読取手段は、読み取りが行われるべき原稿が載置される原稿台と、前記原稿台上の原稿の有無を検知する検知手段とを有し、
前記画像形成の開始の指示の入力が予測される操作は、読み取りが行われる原稿が前記原稿台へ載置されることであり、
前記制御手段は、前記検知手段の検知結果に基づいて、前記原稿の載置を検知することを特徴とする請求項１乃至７の何れか１項に記載の画像形成装置。
【請求項９】
前記画像形成の開始の指示の入力が予測される操作は、前記入力手段からの前記画像形成の開始の指示の入力とは異なる前記操作部から入力する操作であることを特徴とする請求項1乃至7の何れか1項に記載の画像形成装置。
【請求項１０】
前記複数の画像形成ユニットの各々は、トナー像が形成される感光体と、前記感光体を露光するための露光手段と、を有し、
前記露光手段は、前記感光体を露光するために光源からのレーザー光を偏向する回転多面鏡と、前記回転多面鏡を回転させる駆動部と、を有し、
前記制御手段は、前記準備動作として、前記カラーモード情報が前記フルカラーモードの場合には、前記複数の画像形成ユニットの前記回転多面鏡を回転させ、前記カラーモード情報が前記モノクロモードの場合には、前記所定の画像形成ユニットの前記回転多面鏡を回転させ、他の画像形成ユニットの前記回転多面鏡を回転させないように前記画像形成手段を制御することを特徴とする請求項１乃至９の何れか１項に記載の画像形成装置。
【請求項１１】
前記複数の画像形成ユニットの各々は、トナー像が形成される感光体を有し、
前記画像形成手段は、前記複数の画像形成ユニットの各々の前記感光体に形成されたトナー像が転写される中間転写ベルトと、前記複数の画像形成ユニットの各々の前記感光体と前記中間転写ベルトとを当接状態及び離間状態に切り替える切替手段と、を備え、
前記制御手段は、前記準備動作として、前記カラーモード情報が前記フルカラーモードの場合には、前記複数の画像形成ユニットの前記感光体と前記中間転写ベルトとが前記当接状態になるように前記切替手段を制御し、前記カラーモード情報が前記モノクロモードの場合には、前記所定の画像形成ユニットの前記感光体と前記中間転写ベルトとが前記当接状態となり、その他の画像形成ユニットの前記感光体と前記中間転写ベルトとが前記離間状態となるように前記切替手段を制御することを特徴とする請求項１乃至９の何れか１項に記載の画像形成装置。
【請求項１２】
前記画像形成手段は、記録材に転写されたトナー像を前記記録材に定着させる定着手段を備え、
前記定着手段は、前記記録材に転写された前記トナー像を加熱するヒータと、前記ヒータの温度を検知する温度検知手段と、を有し、
前記制御手段は、前記準備動作として、前記カラーモード情報が前記フルカラーモードの場合には、前記ヒータの温度が第一の温度となるように前記定着手段を制御し、前記カラーモード情報が前記モノクロモードの場合には、前記ヒータの温度が前記第一の温度より高い第二の温度となるように前記定着手段を制御することを特徴とする請求項１乃至９の何れか１項に記載の画像形成装置。
【請求項１３】
前記制御手段は、前記準備動作により前記ヒータの温度が前記第二の温度となるように前記定着手段が制御されている状態で、前記カラーモード情報が前記モノクロモードから前記フルカラーモードに切り替えられた場合で、前記ヒータの温度が前記第一の温度となる制御に変更しないことを特徴とする請求項１２に記載の画像形成装置。
【請求項１４】
原稿を読み取る読取手段を備え、
前記カラーモード情報は、前記読取手段により読み取られた原稿の画像に基づいて前記モノクロモード又は前記フルカラーモードを決定する自動判断モードを更に含み、
前記制御手段は、前記カラーモード情報が前記自動判断モードの場合で、前記回転多面鏡に関する前記準備動作が実行されていないときには、前記複数の画像形成ユニットの前記回転多面鏡を回転させるように前記画像形成手段を制御し、前記回転多面鏡に関する前記準備動作が実行されているときには、実行中の前記準備動作を継続することを特徴とする請求項１０に記載の画像形成装置。
【請求項１５】
原稿を読み取る読取手段を備え、
前記カラーモード情報は、前記読取手段により読み取られた原稿の画像に基づいて前記モノクロモード又は前記フルカラーモードを決定する自動判断モードを更に含み、
前記制御手段は、前記カラーモード情報が前記自動判断モードの場合には、前記切替手段に関する前記準備動作を行わないことを特徴とする請求項１１に記載の画像形成装置。
【請求項１６】
原稿を読み取る読取手段を備え、
前記カラーモード情報は、前記読取手段により読み取られた原稿の画像に基づいて前記モノクロモード又は前記フルカラーモードを決定する自動判断モードを更に含み、
前記制御手段は、前記カラーモード情報が前記自動判断モードの場合で、前記定着手段に関する前記準備動作が実行されていないときには、前記ヒータの温度が前記第二の温度となるように前記定着手段を制御し、前記準備動作が実行されているときには、前記定着手段に関する前記準備動作を変更しないことを特徴とする請求項１２又は請求項１３に記載の画像形成装置。
【請求項１７】
前記制御手段は、前記画像形成の開始の指示が入力されると、前記ヒータの温度が前記第二の温度より高い第三の温度となるように前記定着手段を制御することを特徴とする請求項１２，１３，１６の何れか１項に記載の画像形成装置。
【手続補正２】
【補正対象書類名】明細書
【補正対象項目名】０００９
【補正方法】変更
【補正の内容】
【０００９】
（１）それぞれ異なる色成分の画像を形成するための複数の画像形成ユニットを有し、前記複数の画像形成ユニットを用いてフルカラー画像を形成するフルカラーモードと、前記複数の画像形成ユニットのうちの所定の1つの画像形成ユニットを用いてモノクロ画像を形成するモノクロモードとで動作可能な画像形成手段と、前記フルカラーモードと前記モノクロモードとを含むカラーモードのうち実行するカラーモードを示すカラーモード情報を入力するための操作部と、画像形成の開始の指示を入力するための入力手段と、画像形成の開始の指示の入力が予測されるユーザによる操作を検知すると、前記操作部より入力された前記カラーモード情報に応じた画像形成の準備動作のために前記画像形成手段の動作を制御する制御手段と、を備え、前記制御手段は、前記カラーモード情報が変更される度に前記変更された前記カラーモード情報に応じて準備動作を変更するとともに、前記準備動作の変更の回数が所定値を超えると、前記カラーモード情報に応じた前記準備動作の変更を行わないことを特徴とする画像形成装置。